(57)【要約】【課題】  スヌーズアラームにおけるアラーム回数を容易に判断でき、かつ、ユーザに対し、再報知時においても、緊急度や重要度等が直感的に理解できるようにする。【解決手段】  アラーム設定時刻となったならばアラーム音を発生させるとともに、スヌーズ画像データ領域から「１」の表示イメージデータを選択し、画像Ｐ１を表示部に表示させる（ステップＳ２０２）。また、スヌーズ起動時刻となったならば、所定時間アラーム音を発生させるとともに、スヌーズ画像データ領域から「２」の表示イメージデータを選択し、表示部に表示させる（ステップＳ２０６）。これらステップＳ０５及びステップＳ２０６と同様の処理を３回繰り返す。これにより表示部に表示される画像は、アラーム音が発生する毎に、Ｐ１→Ｐ２→Ｐ３→Ｐ４→Ｐ５と順次変化する。よって、画像Ｐ１〜Ｐ５から何度目のアラームであるかを一見して容易に認識することが可能となる。【選択図】  図７
2005069793.tif 000002
【特許請求の範囲】
【請求項１】
現在時刻を計時する現在時刻計時手段と、報知時刻を設定する設定手段と、前記現在時刻計時手段によって計時される現在時刻と前記設定手段によって設定された報知時刻とが一致したときにアラーム報知し、且つ、この報知時刻から所定時間間隔で報知する報知手段を備えたアラーム報知装置において、
撮影手段と、
この撮影手段によって撮影された画像を複数記憶する記憶手段と、
前記報知手段による報知毎に前記記憶手段から異なる画像を選択して表示する表示手段と
を備えたことを特徴とするアラーム報知装置。
【請求項２】
装置外部のネットワークに接続する接続手段とを更に備え、
前記記憶手段は、前記撮影手段により撮影された画像に加え、前記接続手段及びネットワークを介して装置外部から取得した画像を記憶することを特徴とする請求項１記載のアラーム報知装置。
【請求項３】
時刻を計時する時刻計時部、アラーム報知部、メモリ、及び、表示部を備えたコンピュータを、
アラーム報知時刻を設定する設定手段と、
前記時刻計時手段によって計時される現在時刻と前記設定手段によって設定されたアラーム報知時刻とが一致したときにアラーム報知し、且つ、この報知時刻から所定時間間隔で報知する報知制御手段と、
前記メモリに撮影された画像を複数記憶させる記憶制御手段と、
前記報知制御手段による報知毎に前記メモリから異なる画像を選択して前記表示部に表示させる表示制御手段
として機能させることを特徴とするプログラム。
【発明の詳細な説明】
【技術分野】
【０００１】
本発明は、アラーム設定時刻だけでなく、このアラーム設定時刻以降、所定時間間隔で再報知を行うアラーム報知機能を備えるアラーム報知装置、及びプログラムに関するものである。
【背景技術】
【０００２】
従来、アラーム設定時刻だけでなく、所定時間間隔で再報知を行うスヌーズアラーム機能を備えた携帯機器が出現するに至っている。このスヌーズアラーム機能を備えた携帯機器は、予め設定されたアラーム時刻になると、アラームを鳴動させる。アラーム鳴動時にキー押下などの確認操作がなかった場合には、アラームの鳴動を一旦停止した後、数分後に再びアラームを鳴動させる。さらに、確認操作がなかった場合には、アラームの鳴動を一旦停止した後、数分後に再びアラームを鳴動させ、この動作を所定回数繰り返すのである（例えば、特許文献１参照。）。
【特許文献１】特開平９−３２５１９２号公報
【発明の開示】
【発明が解決しようとする課題】
【０００３】
しかしながら、従来のように単にアラームの鳴動と停止、及び再鳴動を繰り返すスヌーズアラーム機能の場合、ユーザがアラームに気が付いても、それが何回目のアラームであって、設定されたアラーム時刻からどの程度経過しまっているか即座に判断することができない。
【０００４】
またスヌーズアラームによる再報知の際、報知の表現に乏しいので、緊急度や重要度等がスヌーズアラームによる再報知時に直感的にユーザに理解しづらいという問題点があった。
【０００５】
本発明は、かかる従来の課題に鑑みてなされたものであり、スヌーズアラームにおけるアラーム回数を容易に判断できるようにし、かつ、ユーザに対し、再報知時においても、緊急度や重要度等が直感的に理解できるアラーム報知装置及びプログラムを提供することを目的とする。
【課題を解決するための手段】
【０００６】
前記課題を解決するために請求項１記載の発明に係るアラーム報知装置は、現在時刻を計時する現在時刻計時手段と、報知時刻を設定する設定手段と、前記現在時刻計時手段によって計時される現在時刻と前記設定手段によって設定された報知時刻とが一致したときにアラーム報知し、且つ、この報知時刻から所定時間間隔で報知する報知手段を備えたアラーム報知装置において、撮影手段と、この撮影手段によって撮影された画像を複数記憶する記憶手段と、前記報知手段による報知毎に前記記憶手段から異なる画像を選択して表示する表示手段とを備える。
【０００７】
したがって、計時される現在時刻と前記設定手段によって設定された報知時刻とが一致するとアラーム報知するとともに、表示手段には予め撮影手段によって撮影された画像が表示される。また、この初回アラームの報知後、所定時間間隔で報知するとともに、表示手段に異なる画像が表示される。つまり、初回アラーム報知及びその後繰り返される再アラーム報知において、表示手段には異なる画像が表示される。したがって、アラーム報知に気が付いた時点でユーザが表示部の画像を目視することにより、画像の形態から何度目のアラーム報知であるかを一見して容易に認識することが可能となる。
【０００８】
また、このように、アラーム報知毎に表示される画像が変化することから、再報知の際にユーザの視覚を刺激して、再報知時における緊急度や重要度等を直感的に理解させることができる。しかも、表示される画像はユーザが予め撮影した画像であることから、適宜表示される画像を変更することもできる。
【０００９】
また、請求項１記載の発明に係るアラーム報知装置は、装置外部のネットワークに接続する接続手段とを更に備え、前記記憶手段は、前記撮影手段により撮影された画像に加え、前記接続手段及びネットワークを介して装置外部から取得した画像を記憶する。したがって、初回アラーム報知及びその後繰り返される再アラーム報知において、表示手段にはユーザが撮影した画像と装置外部から取得した画像とが混在して順次表示される。これにより、アラームに気が付いた時点でユーザが表示部の画像を目視した際の興趣性を高めることができる。
【００１０】
また、本発明に係るプログラムは、時刻を計時する時刻計時部、アラーム報知部、メモリ、及び、表示部を備えたコンピュータを、アラーム報知時刻を設定する設定手段と、前記時刻計時手段によって計時される現在時刻と前記設定手段によって設定されたアラーム報知時刻とが一致したときにアラーム報知し、且つ、この報知時刻から所定時間間隔で報知する報知制御手段と、前記メモリに撮影された画像を複数記憶させる記憶制御手段と、前記報知制御手段による報知毎に前記メモリから異なる画像を選択して前記表示部に表示させる表示制御手段として機能させるしたがって、前記コンピュータがこのプログラムに従って処理を実行することにより、請求項１記載の発明と同様の作用効果を奏する。
【発明の効果】
【００１１】
本発明によれば、初回のアラーム報知及びその後繰り返される再アラーム報知において、表示手段には異なる画像が表示されることから、アラームに気が付いた時点でユーザが表示部の画像を目視することにより、画像の形態から何度目のアラームであるかを一見して容易に認識することが可能となる。その結果、設定された初回のアラーム報知の時刻からどの程度経過しまっているか即座に判断することができる。また、このように、アラーム報知毎に表示される画像が変化することから、再報知の際にユーザの視覚を刺激して、再報知時における緊急度や重要度等を直感的に理解させることができる。さらに、表示される画像はユーザが予め撮影した画像であることから、適宜表示される画像を変更することもでき、これによりユーザの視覚を刺激して目覚めを促し、あるいは再報知時における緊急度や重要度等の直感的な理解を促進することもできる。
【発明を実施するための最良の形態】
【００１２】
以下、本発明の一実施の形態を図に従って説明する。図１は、本実施の形態において用いるシステムの構成を示すブロック図である。図において、携帯電話１は、通話機能と画像送受信機能とを備える。無線基地局２は、携帯電話１を当該携帯電話１が加入する通信サービス事業者（インターネットプロバイダを含む）４に接続する。
【００１３】
通信サービス事業者（インターネットプロバイダを含む）４は、主なサービスとして提供している携帯電話サービスに必要とする通信回路処理部４１の他、後述のＷＷＷ５に接続するためのシステム（Ｗｅｂサーバ４３）、メールシステム（メールサーバ４２）を備えている。また、無線基地局２をＡＰ（アクセス・ポイント）として、携帯電話１をＷＷＷ５に接続させるための機能も備えている。画像提供サービス会社６は、ＷＷＷ５に接続するためのシステム（Ｗｅｂサーバ６１）、管理サーバ６３及び画像データベース６２を備えている。
【００１４】
図２は、本実施の形態に係る携帯電話１の外観図（開状態：正面図及び背面図）であり、携帯電話１は、蓋部と本体部とからなる二つ折りの構造である。アンテナ１０３は、本体部の背面に設けられており、伸縮自在となっている。スピーカ１０１は、蓋部の前面側に設けられており、音声出力を行う。メイン表示部１０２は、ＱＶＧＡカラー液晶であり、蓋部の前面略中央部に配置されている。
【００１５】
本体部の前面には、カメラキー１０４、メールキー１０５、十字キー１０６、決定キー１０７、アドレスキー１０８、ネット接続キー１０９、クリアキー１１０、オンフックキー１１１とオフフックキー１１２、テンキー１１３が設けられている。カメラキー１０４は、撮影モードへの移行時及び撮像部の起動時に操作され、メールキー１０５はメールモード移行時及びメールプログラムロード時に操作される。十字キー１０６は、カーソル及びフォーカス移動時に操作され、決定キー１０７は各種モードの決定時に操作されるとともに、撮影時のシャッターキーとして操作される。アドレスキー１０８は、アドレス帳データを表示する際に操作され、ネット接続キー１０９は、画像提供サービス会社接続用の操作キーである。クリアキー１１０は、キャンセル指示用のキーであり、テンキー１１３は、文字入力及びダイアル入力用、また、本実施の形態においては、アラーム報知時刻設定や、スヌーズアラームの時間間隔、アラーム回数設定手段として使用される。マイク１１４は、本体部の下部に設けられており、通話時において音声入力を行う。
【００１６】
また、蓋部の背面には、録音用マイク１１５、カラー液晶からなるサブ表示部１１６、着信の際、発光する報知用ＬＥＤ１１７、撮像レンズ１１８、及びフラッシュ用ＬＥＤ１１９が配置されている。また、本体部の裏面には報知用スピーカ１２０が配置されている。この報知用スピーカ１２０は、着信やアラームなどを報知するものであり、蓋部を本体部に閉じた状態でも報知音が聞こえるように、本体部の裏面に配置されている。
【００１７】
図３は、携帯電話１の構成を示すブロック図である。無線部１２１は、アンテナ１０３に接続されており、ＰＳＫ方式に基づく変復調と、ＣＤＭＡ方式に基づく端末認証処理を含む通信処理を行う。制御部１２２は、当該機器を制御するとともにＷＷＷ接続制御を行うものであって、通信データ処理部１２２１、システムＲＯＭ１２２２及びオーディオインターフェース１２２３を有しており、無論計時手段を有している。通信データ処理部１２２１は、ＣＬＥＰ系ボコーダ＆音声復号処理回路、パケットデータ生成回路、及びパケットデータ復元回路を含み、通信プロトコルに沿ったデータ処理を行う。
【００１８】
システムＲＯＭ１２２２には、ＯＳのような基本システムが格納されるとともに、加入者情報記憶部１２２４や計時部１２２５が設けられる。加入者情報記憶部１２２４は、基地局２とのネゴシエーションに必要となる当該携帯電話１に固有のＩＤである端末ＩＤ、加入者ＩＤ情報を記憶する。計時部１２２５は、制御部１２２に内蔵されているクロック（不図示）に基づき、現在時刻の計時、及び、スヌーズアラームの時間間隔の計時を行う。オーディオインターフェース１２２３は、通信データ処理部１２２１で処理される音声信号の入出力を行うものであって、前記スピーカ１０１、マイク１１４及び録音用マイク１１５が接続されている。なお、入力部は、前記カメラキー１０４〜テンキー１１３等で構成される。
【００１９】
アドレス・データバス処理部１２３は、制御部１２２と周辺回路（破線枠内の回路）とのデータの入出力タイミング等を制御・管理するものである。ＲＡＭ１２４は、アドレス帳データやメールデータ等、機器内で生成される各種データを記憶する。プログラムＲＯＭ（ＮＡＮＤ  Ｆｌａｓｈ）１２５は、各種アプリケーションプログラムを格納する。音源ＩＣ１２６は、報知音の波形を記憶するともに出力するものであって、アンプ１２７は音源ＩＣ１２６からの出力を増幅し、前記報知用スピーカ１２０はこれを再生する。
【００２０】
表示モジュール系ドライバ１２８は、前記メイン表示部１０２、サブ表示部１１６、報知用ＬＥＤ１１７、及びフラッシュ用ＬＥＤ１１９を駆動するものである。撮像デバイス１３０は、前記撮像レンズ１１８により被写体像が結像されるＣＣＤ等からなり、ＤＳＰ１２９は、この撮像デバイス１３０からの画像信号を処理するものである。
【００２１】
図４（ａ）は、前記ＲＡＭ１２４のメモリエリアの構成を示す概念図である。ＲＡＭ１２４は、アドレス帳エリア１２４１、スヌーズアラーム領域１２４２、スヌーズ画像データ領域１２４３、その他の画像領域１４４４、その他の記憶領域１２４５、及びワークエリア１２４６からなる。アドレス帳エリア１２４１は、氏名、電話番号、メールアドレス等を１レコードとして複数記憶する。スヌーズアラーム領域１２４２は、アラーム設定時刻等の後述するスヌーズアラーム処理を行うに必要なデータが格納される。スヌーズ画像データ領域１２４３には、ユーザにより選択されスヌーズアラームにおいて使用される画像データが記憶される。その他の画像データ領域１２４４には、当該携帯電話１で撮影した画像データと、前記画像データベース６２からダウンロードした画像とが混在して記憶される。その他の記憶領域１２４５は、他の機能の発現に必要なデータを格納する領域であり、ワークエリア１２４６は、ワークメモリとして各種データ格納する。
【００２２】
以上の構成に係る本実施形態において、携帯電話１のユーザがカメラキー１０４の操作により、撮影モードを設定すると、制御部１２２は、撮像レンズ１１８により撮像デバイス１３０上に結像されたスルー画像をメイン表示部１０２に表示させる。次に、決定キーの操作が行われると、撮像デバイス１３０上に結像されＤＳＰ１２９により処理されたデジタル画像データを取り込み、画像ファイルとしてその他の画像データ領域１２４４に格納する。
【００２３】
また、ネット接続キー１０９の操作によるネットワーク接続指示がなされると、無線基地局２を介して通信サービス会社４にアクセスして、画像提供サービス会社６のＵＲＬ、端末ＩＤ、加入者ＩＤを送信する。すると、通信サービス会社４はこれに認証処理を行ってセッション許可を送信する。携帯電話１は、このセッション許可を受信して、画像提供サービス会社６とのセッションを確立する。しかる後に、携帯電話１は画像提供サービス会社６の画像データベース６２より所望の画像をダウンロードして、その他の画像データ領域１２４４に格納する。したがって、その他の画像データ領域１２４４には、前述のように当該携帯電話１で撮影した画像データと、画像データベース６２からダウンロードした画像とが混在して記憶される。
【００２４】
そして、スヌーズ画像データ領域１２４３には、その他の画像データ領域１２４４からユーザが任意に選択した画像データが選択した順序で記憶される。したがって、スヌーズ画像データ領域１２４３にも、図４（ｂ）に示すように、当該携帯電話１で撮影した画像データ（２００３０５３０．ｊｐｇ、ｍｙｐｈｏｔｏ．ｊｐｇ）や、ダウンロードした画像データ（ＮＥＴＤＬ０１〜３．ｊｐｇ）が混在して順次記憶されることとなる。
【００２５】
このような記憶状態において、所定のキー操作により設定モードを選択すると、制御部１２２はプログラムＲＯＭ１２５に記憶されているプログラムに従って、図５のフローチャートに示す処理を実行する。すなわち、先ず時計／スケジュールメニュー画面表示処理を実行し、図６（ａ）に示すように、時計／スケジュールメニュー画面１０２１をメイン表示部１０２に表示させる（ステップＳ１０１）。次に、この時計／スケジュールメニュー画面１０２１おいて、十字キー１０６と決定キー１０７との操作により、「時刻アラーム設定」が選択されたか否かを判断し（ステップＳ１０２）、選択されたならば図６（ｂ）に示すように、時刻アラーム・インデックス画面１０２２をメイン表示部１０２に表示させる（ステップＳ１０３）。
【００２６】
さらに、この時刻アラーム・インデックス画面１０２２に表示されている項目「１」〜「５」のいずれかが選択されるまで待機し（ステップＳ１０４）、「１」が選択された場合には、図６（ｃ）に示すように、「１」の時刻アラーム・データ画面１０２３をメイン表示部１０２に表示させる（ステップＳ１０５）。このとき、ユーザは時刻アラーム・データ画面１０２３において「スヌーズ設定」が「ＯＦＦ」になっている場合には、キー操作により「ＯＮ」変更する。
【００２７】
引き続き、この時刻アラーム・データ画面１０２３においてサブメニュー１０２４が選択されたか否かを判断し（ステップＳ１０６）、選択された場合には、スヌーズ画像データ領域１２４３（図４（ｂ）参照）に記憶されている画像データ（表示イメージデータ）のファイル名読み出して、メイン表示部１０２に表示させる（ステップＳ１０７）。このステップＳ１０７での処理により、図６（ｄ）に示すように、メイン表示部１０２には表示イメージデータ画面１０２５が表示される。この表示イメージデータ画面１０２５には、スヌーズ画像データ領域１２４３に記憶されている表示イメージデータのファイル名がシリアル番号１〜５に対応して表示される。したがって、ユーザがこのシリアル番号に対応して表示される表示イメージデータのファイル名を視認することにより、後述するスヌーズアラームにおいて表示される画像の順序を予め確認し、あるいは記憶しておくことができる。
【００２８】
次に、この表示イメージデータ画面１０２５において、追加ボタン１０２６が選択されたか否かを判断し（ステップＳ１０８）、選択された場合には、追加処理を実行する（ステップＳ１０９）。すなわち、その他の画像データ領域１２４４に記憶されている当該携帯電話１で撮影した画像データ又はダウンロードした画像データから、所望の画像データを選択して、スヌーズ画像データ領域１２４３に記憶させる。したがって、前述したように、スヌーズ画像データ領域１２４３には、当該携帯電話１で撮影した画像データ（２００３０５３０．ｊｐｇ、ｍｙｐｈｏｔｏ．ｊｐｇ）や、ダウンロードした画像データ（ＮＥＴＤＬ０１〜３．ｊｐｇ）が混在して記憶されることとなる。
【００２９】
このようにして、スヌーズアラーム設定が完了すると、制御部１２２はプログラムＲＯＭ１２５に記憶されているプログラムに従って、図７（ａ）のフローチャートに示す処理を実行する。すなわち、アラーム設定時刻となったか否かを常時監視する（ステップＳ２０１）。そして、アラーム設定時刻となったならば、報知用スピーカ１２０からアラーム音を発生させるとともに、スヌーズ画像データ領域１２４３から「１」の表示イメージデータを選択し、メイン表示部１０２に表示させる（ステップＳ２０２）。このステップＳ２０２での処理により図８（ａ）に示すように、メイン表示部１０２には、「１」の表示イメージデータである「ＮＥＴＤＬ０１．ｊｐｇ」の画像Ｐ１が表示されることとなる。
【００３０】
次に、所定時間（例えば１分）が経過したか否かを判断し（ステップＳ２０３）、経過したならば、アラーム音を停止させる（ステップＳ２０４）。但し、画像Ｐ１の表示は継続しつつ、スヌーズ起動時刻となったか否かを判断する（ステップＳ０５）。ここで、スヌーズ起動時刻とは、前回のアラームを発生させてから、次のアラームを発生させるまでの所定の時間間隔（例えば２分）に対応する時刻である。そして、このスヌーズ起動時刻となったならなば、所定時間アラーム音を発生させるとともに、スヌーズ画像データ領域１２４３から「２」の表示イメージデータを選択し、メイン表示部１０２に表示させる（ステップＳ２０６）。このステップＳ２０６での処理により図８（ｂ）に示すように、メイン表示部１０２には、「２」の表示イメージデータである「２００３０５３０．ｊｐｇ」の画像Ｐ２が表示されることとなる。
【００３１】
しかる後に、ステップＳ０５及びステップＳ２０６と同様の処理を３回繰り返す。これにより、次のアラームを発生させるまでの時間間隔で所定時間アラーム音が発生するともに、順次「ｍｙｐｈｏｔｏ．ｊｐｇ」の画像Ｐ３、「ＮＥＴＤＬ０２．ｊｐｇ」の画像Ｐ４が次のアラームを発生させるまで表示され続けられる。そして、ステップＳ２０７の処理で、スヌーズ画像データ領域１２４３から最後の「５」の表示イメージデータを選択して、メイン表示部１０２に表示させる。このステップＳ２０７での処理により図８（ｃ）に示すように、メイン表示部１０２には、「５」の表示イメージデータであるＮＥＴＤＬ０３．ｊｐｇの画像Ｐ５が表示される。
【００３２】
したがって、表示部１０２に表示される画像は、アラーム音が発生する毎に、Ｐ１→Ｐ２→Ｐ３→Ｐ４→Ｐ５と順次変化する。よって、ユーザが気が付いた時点で表示部１０２に表示されているいずれかの画像Ｐ１〜Ｐ５を目視することにより、画像Ｐ１〜Ｐ５の形態から何度目のアラームであるかを一見して容易に認識することが可能となる。
【００３３】
そして、ステップＳ２０７で画像Ｐ５の表示を所定時間継続したならば、時刻アラーム起動内容の表示処理を実行し、図８（ｄ）に示すように、時計／スケジュールメニュー画面１０２１をメイン表示部１０２に表示させる（ステップＳ１０１）。この状態から決定キー１０７が押下された時点で、待受け画面に戻る。
【００３４】
他方、制御部１２２は図７（ａ）のフローチャートに示す処理に一定時間毎に割り込んで、同図（ｂ）に示す処理を実行する。すなわち、スヌーズ解除操作が行われたか否かを監視する。そして、例えばクリアキー１１０の操作によるスヌーズ解除操作が行われると、アラーム音を停止させるとともに、そのとき表示部１０２に表示されている画像表示状態を継続する。したがって、ユーザが何回目かのアラーム音に気が付いてスヌーズ解除操作を行うと、アラーム音は停止するが表示部１０２には当該回数で表示された画像がそのまま表示されている。したがって、スヌーズ解除操作を行った場合であっても、その時点で表示部１０２に表示されているいずれかの画像Ｐ１〜Ｐ５を目視することにより、画像Ｐ１〜Ｐ５の形態から何度目のアラームであるかを一見して容易に認識することが可能となる。
【００３５】
なお、本実施の形態においては、ステップＳ７で表示イメージデータのファイル名を表示するようにしたが、表示イメージデータに基づく画像そのものを表示するようにしてもよい。このように、画像そのものを表示すれば表示されたアラーム何回目でいずれの画像が表示されるかをユーザが明瞭に予め認識することが可能となる。
【００３６】
また、本実施の形態においては、スヌーズ画像データ領域１２４３から画像データを順次選択して表示させるようにしたが、ランダムに選択して表示させるようにしてもよい。また、画像データはスヌーズ画像データ領域１２４３からでななく、その他の画像データ領域１２４４から選択して表示するようにしてもよく、この場合スヌーズ画像データ領域１２４３を設けることなく、当該携帯電話１で撮影した画像データと画像データベース６２からダウンロードした画像とが混在して記憶されるその他の画像データ領域１２４４のみを設けておけばよい。さらに、本実施の形態においてはメイン表示部１０２に画像を表示させるようにしたがサブ表示部１１６に表示させるようにしてもよい。このようにすれば蓋部を閉じた状態でスヌーズアラームが動作した場合、ユーザは携帯電話１の蓋部を開かなくても直感的にアラーム報知内容を画像で理解することができる。さらにまた、本実施の形態においては、携帯電話に本発明を適用した場合を示したが、デジタルカメラやカメラ付きＰＤＡに本発明を適用するようにしてもよい。
【図面の簡単な説明】
【００３７】
【図１】本発明の一実施の形態において用いるシステムの構成を示すブロック図である。
【図２】（ａ）は本実施の形態における携帯電話の正面図、（ｂ）は背面図である。
【図３】携帯電話の構成を示すブロック図である。
【図４】（ａ）はＲＡＭのメモリエリアの構成を示す概念図、（ｂ）はスヌーズ画像データ領域の記憶状態示す図である。
【図５】本実施の形態における携帯電話の設定モードにおける処理手順を示すフローチャートである。
【図６】同設定モード時の表示遷移図である。
【図７】（ａ）本実施の形態における携帯電話のスヌーズ処理における処理手順を示すフローチャート、（ｂ）は割り込み処理を示すフローチャートである。
【図８】スヌーズ処理における表示遷移図である。
【符号の説明】
【００３８】
１    携帯電話（アラーム報知装置、コンピュータ）
２    無線基地局
４    通信サービス会社
５    ＷＷＷ
６    画像提供サービス会社
４１    通信回路処理部
４２    メールサーバ
４３    Ｗｅｂサーバ
６１    Ｗｅｂサーバ
６２    画像データベース
６３    管理サーバ
１０１    スピーカ
１０２    メイン表示部（表示手段、表示部）
１０３    アンテナ（接続手段）
１０４    カメラキー
１０５    メールキー
１０６    十字キー（設定手段）
１０７    決定キー（設定手段）
１０９    ネット接続キー
１１０    クリアキー
１１３    テンキー（設定手段）
１１８    撮像レンズ（撮影手段）
１２０    報知用スピーカ（報知手段、アラーム報知部）
１２１    無線部（接続手段）
１２２    制御部（報知制御手段、記憶制御手段、表示制御手段）
１２５    プログラムＲＯＭ
１２６    音源ＩＣ
１２７    アンプ
１２８    表示モジュール系ドライバ
１２９    ＤＳＰ（撮影手段）
１３０    撮像デバイス（撮影手段）
１０２１    時計／スケジュールメニュー画面
１０２２    インデックス画面
１０２３    データ画面
１０２４    サブメニュー
１０２５    表示イメージデータ画面
１２２１    通信データ処理部（接続手段）
１２２２    システムＲＯＭ
１２２５    計時部（現在時刻計時手段、時刻計時部）
１２４１    アドレス帳エリア
１２４２    スヌーズアラーム領域
１２４３    スヌーズ画像データ領域（記憶手段、メモリ）
１２４４    その他の画像データ領域
１２４６    ワークエリア
【図１】
2005069793.tif 000003
【図２】
2005069793.tif 000004
【図３】
2005069793.tif 000005
【図４】
2005069793.tif 000006
【図５】
2005069793.tif 000007
【図６】
2005069793.tif 000008
【図７】
2005069793.tif 000009
【図８】
2005069793.tif 000010